(57)【特許請求の範囲】
【請求項１】
オペレータの入力するコマンドにより、要素を配置して建築物の構造に関する図面を作成・編集する作図手段と、
前記図面が示す建築物の構造を検査する検査手段と、
前記図面と前記検査手段による検査結果を出力する出力手段と
を具備し、
前記検査手段が、前記図面が示す建築物の壁の構造について検査する際、オペレータが壁圧縮コマンドを入力した後、始点、中間点、終点の位置と、壁高さ及び設計時の半割本数と、負担面積に対する負担情報とを入力することにより、断面算定を行い、出力手段が始点、中間点、終点が示す壁長さに対して必要な半割の本数を表示し、検査手段がオペレータが基礎コマンドを入力した後、基礎の領域と、負担幅とを入力することにより断面算定を行い、出力手段が算定された断面を表示し、
オペレータがメニューにて指定した、前記壁の低減率を設定する設定手段を具備し、
前記検査手段による検査内容は、前記設定手段によりオペレータがメニューにて指定した低減率に基づく、前記建築物の強度に応じた前記壁の必要量を外力と許容せん断力に換算して表示する検査であることを特徴とする構造設計システム。
【請求項２】
請求項１記載の構造設計システムにおいて、
前記作図手段は、前記建築物の壁に関する作図を行うことを特徴とする構造設計システム。
【請求項３】
請求項１または請求項２のいずれかに記載の構造設計システムにおいて、
前記作図手段は、前記建築物の開口および門型パネルに関する作図を行うことを特徴とする構造設計システム。
【請求項４】
請求項１ないし請求項３のいずれかに記載の構造設計システムにおいて、
前記作図手段は、前記建築物の結合材に関する作図を行うことを特徴とする構造設計システム。
【請求項５】
請求項１ないし請求項４のいずれかに記載の構造設計システムにおいて、
前記作図手段は、前記建築物の見付巾および地震ブロックに関する作図を行うことを特徴とする構造設計システム。
【請求項６】
請求項１ないし請求項５のいずれかに記載の構造設計システムにおいて、
前記作図手段は、前記建築物の梁に関する作図を行うことを特徴とする構造設計システム。
【請求項７】
請求項１ないし請求項６のいずれかに記載の構造設計システムにおいて、
前記作図手段は、前記建築物の小壁に関する作図を行うことを特徴とする構造設計システム。
【請求項８】
請求項１ないし請求項７のいずれかに記載の構造設計システムにおいて、
前記作図手段は、前記建築物の壁圧縮に関する作図を行うことを特徴とする構造設計システム。
【請求項９】
請求項１ないし請求項８のいずれかに記載の構造設計システムにおいて、
前記作図手段は、前記建築物の基礎に関する作図を行うことを特徴とする構造設計システム。
【請求項１０】
請求項１ないし請求項９のいずれかに記載の構造設計システムにおいて、
前記検査手段による検査内容は、前記壁の配置状態の検査であることを特徴とする構造設計システム。
【請求項１１】
請求項１ないし請求項１０のいずれかに記載の構造設計システムにおいて、
前記検査手段は、前記図面が示す建築物の梁、小壁、壁圧縮、基礎の断面の強度について検査することを特徴とする構造設計システム。
【請求項１２】
請求項１ないし請求項１１のいずれかに記載の構造設計システムにおいて、
前記検査手段は、前記図面が示す建築物の転倒強度について検査することを特徴とする構造設計システム。
【請求項１３】
コンピュータを、
オペレータの入力するコマンドにより、要素を配置して建築物の構造に関する図面を作成・編集する作図手段、
前記図面が示す建築物の構造において、前記図面が示す建築物の壁の構造について検査する際、オペレータが壁圧縮コマンドを入力した後、始点、中間点、終点の位置と、壁高さ及び設計時の半割本数と、負担面積に対する負担情報とを入力することにより、断面算定を行い、オペレータが基礎コマンドを入力した後、基礎の領域と、負担幅とを入力することにより断面算定を行う検査手段、
前記図面と前記検査手段による検査結果を出力する出力手段、
前記壁の低減率を設定する設定手段、
として機能させ、
前記検査手段による検査内容は、前記設定手段によりオペレータがメニューにて指定した低減率に基づく、前記建築物の強度に応じた前記壁の必要量を外力と許容せん断力に換算して表示する検査であることを特徴とする構造設計システム用記録媒体。
【請求項１４】
請求項１３記載の構造設計システム用記録媒体において、
前記作図手段は、前記建築物の壁に関する作図を行うことを特徴とする構造設計システム用記録媒体。
【請求項１５】
請求項１３または請求項１４のいずれかに記載の構造設計システム用記録媒体において、
前記作図手段は、前記建築物の開口および門型パネルに関する作図を行うことを特徴とする構造設計システム用記録媒体。
【請求項１６】
請求項１３ないし請求項１５のいずれかに記載の構造設計システム用記録媒体において、
前記作図手段は、前記建築物の結合材に関する作図を行うことを特徴とする構造設計システム用記録媒体。
【請求項１７】
請求項１３ないし請求項１６のいずれかに記載の構造設計システム用記録媒体において、
前記作図手段は、前記建築物の見付巾および地震ブロックに関する作図を行うことを特徴とする構造設計システム用記録媒体。
【請求項１８】
請求項１３ないし請求項１７のいずれかに記載の構造設計システム用記録媒体において、
前記作図手段は、前記建築物の梁に関する作図を行うことを特徴とする構造設計システム用記録媒体。
【請求項１９】
請求項１３ないし請求項１８のいずれかに記載の構造設計システム用記録媒体において、
前記作図手段は、前記建築物の小壁に関する作図を行うことを特徴とする構造設計システム用記録媒体。
【請求項２０】
請求項１３ないし請求項１９のいずれかに記載の構造設計システム用記録媒体において、
前記作図手段は、前記建築物の壁圧縮に関する作図を行うことを特徴とする構造設計システム用記録媒体。
【請求項２１】
請求項１３ないし請求項２０のいずれかに記載の構造設計システム用記録媒体において、
前記作図手段は、前記建築物の基礎に関する作図を行うことを特徴とする構造設計システム用記録媒体。
【請求項２２】
請求項１３ないし請求項２１のいずれかに記載の構造設計システム用記録媒体において、
前記検査手段による検査内容は、前記壁の配置状態の検査であることを特徴とする構造設計システム用記録媒体。
【請求項２３】
請求項１３ないし請求項２２のいずれかに記載の構造設計システム用記録媒体において、
前記検査手段は、前記図面が示す建築物の梁、小壁、壁圧縮、基礎の断面の強度について検査することを特徴とする構造設計システム用記録媒体。
【請求項２４】
請求項１３ないし請求項２３のいずれかに記載の構造設計システム用記録媒体において、
前記検査手段は、前記図面が示す建築物の転倒強度について検査することを特徴とする構造設計システム用記録媒体。
【発明の詳細な説明】
【０００１】
【発明の属する技術分野】
この発明は、建築物の構造に関する図面を作成すると共に、該構造を検査する構造設計システム、および、コンピュータを該構造設計システムとして機能させるためのプログラムを記録した記録媒体に関する。
【０００２】
【背景の技術】
建築物を建築する場合、該建築に先立って、該建築物の構造に関する図面（構造図、屋根図等）が作成される。そして、これらの図面に基づいて、材料の手配が行われると共に、該建築物の構造的欠陥の有無について検査が行われる。
【０００３】
【発明が解決しようとする課題】
ところで、上記図面の作成においては、従来は、設計者が、定規やコンパス等の製図道具を用いて、手作業で作図していたので、図面の作成に多大な手間と時間がかかる、という問題があった。
また、上記構造検査に関しては、設計者がこれらの強度を電卓等を用いて手計算していたので、注意力や熟練が要求される、という問題があった。
【０００４】
この発明は、このような背景の下になされたもので、建築物の構造に関する図面の作成および検査を、簡単な操作で行うことができる構造設計システム、および、コンピュータを該構造設計システムとして機能させるためのプログラムを記録した記録媒体を提供することを目的とする。
【０００５】
【課題を解決するための手段】
請求項１記載の発明は、建築物の構造に関する図面を作成・編集する作図手段と、前記図面が示す建築物の構造を検査する検査手段と、前記図面と前記検査手段による検査結果を出力する出力手段とを具備することを特徴とする。
請求項２記載の発明は、請求項１記載の構造設計システムにおいて、前記作図手段は、前記建築物の壁に関する作図を行うことを特徴とする。
請求項３記載の発明は、請求項１または請求項２のいずれかに記載の構造設計システムにおいて、前記作図手段は、前記建築物の開口および門型パネルに関する作図を行うことを特徴とする。
請求項４記載の発明は、請求項１ないし請求項３のいずれかに記載の構造設計システムにおいて、前記作図手段は、前記建築物の結合材に関する作図を行うことを特徴とする。
請求項５記載の発明は、請求項１ないし請求項４のいずれかに記載の構造設計システムにおいて、前記作図手段は、前記建築物の見付巾および地震ブロックに関する作図を行うことを特徴とする。
請求項６記載の発明は、請求項１ないし請求項５のいずれかに記載の構造設計システムにおいて、前記作図手段は、前記建築物の梁に関する作図を行うことを特徴とする。
請求項７記載の発明は、請求項１ないし請求項６のいずれかに記載の構造設計システムにおいて、前記作図手段は、前記建築物の小壁に関する作図を行うことを特徴とする。
請求項８記載の発明は、請求項１ないし請求項７のいずれかに記載の構造設計システムにおいて、前記作図手段は、前記建築物の壁圧縮に関する作図を行うことを特徴とする。
請求項９記載の発明は、請求項１ないし請求項８のいずれかに記載の構造設計システムにおいて、前記作図手段は、前記建築物の基礎に関する作図を行うことを特徴とする。
請求項１０記載の発明は、請求項１ないし請求項９のいずれかに記載の構造設計システムにおいて、前記検査手段は、前記図面が示す建築物の壁の構造について検査することを特徴とする。
請求項１１記載の発明は、請求項１０記載の構造設計システムにおいて、前記検査手段による検査内容は、前記壁の物理的配置状態の検査であることを特徴とする。
請求項１２記載の発明は、請求項１０記載の構造設計システムにおいて、前記壁の低減率を設定する設定手段を具備し、前記検査手段による検査内容は、前記設定手段により設定された低減率に基づく、前記建築物の強度に応じた前記壁の必要量に関する検査であることを特徴とする。
請求項１３記載の発明は、請求項１ないし請求項１２のいずれかに記載の構造設計システムにおいて、前記検査手段は、前記図面が示す建築物の梁、小壁、壁圧縮、基礎の断面の強度について検査することを特徴とする。
請求項１４記載の発明は、請求項１ないし請求項１３のいずれかに記載の構造設計システムにおいて、前記検査手段は、前記図面が示す建築物の転倒強度について検査することを特徴とする。
請求項１５記載の発明は、コンピュータを、建築物の構造に関する図面を作成・編集する作図手段、前記図面が示す建築物の構造を検査する検査手段、前記図面と前記検査手段による検査結果を出力する出力手段として機能させるためのプログラムを記録したことを特徴とする。
請求項１６記載の発明は、請求項１５記載の構造設計システム用記録媒体において、前記作図手段は、前記建築物の壁に関する作図を行うことを特徴とする。
請求項１７記載の発明は、請求項１５または請求項１６のいずれかに記載の構造設計システム用記録媒体において、前記作図手段は、前記建築物の開口および門型パネルに関する作図を行うことを特徴とする。
請求項１８記載の発明は、請求項１５ないし請求項１７のいずれかに記載の構造設計システム用記録媒体において、前記作図手段は、前記建築物の結合材に関する作図を行うことを特徴とする。
請求項１９記載の発明は、請求項１５ないし請求項１８のいずれかに記載の構造設計システム用記録媒体において、前記作図手段は、前記建築物の見付巾および地震ブロックに関する作図を行うことを特徴とする。
請求項２０記載の発明は、請求項１５ないし請求項１９のいずれかに記載の構造設計システム用記録媒体において、前記作図手段は、前記建築物の梁に関する作図を行うことを特徴とする。
請求項２１記載の発明は、請求項１５ないし請求項２０のいずれかに記載の構造設計システム用記録媒体において、前記作図手段は、前記建築物の小壁に関する作図を行うことを特徴とする。
請求項２２記載の発明は、請求項１５ないし請求項２１のいずれかに記載の構造設計システム用記録媒体において、前記作図手段は、前記建築物の壁圧縮に関する作図を行うことを特徴とする。
請求項２３記載の発明は、請求項１５ないし請求項２２のいずれかに記載の構造設計システム用記録媒体において、前記作図手段は、前記建築物の基礎に関する作図を行うことを特徴とする。
請求項２４記載の発明は、請求項１５ないし請求項２３のいずれかに記載の構造設計システム用記録媒体において、前記検査手段は、前記図面が示す建築物の壁の構造について検査することを特徴とする。
請求項２５記載の発明は、請求項２４記載の構造設計システム用記録媒体において、前記検査手段による検査内容は、前記壁の配置状態の検査であることを特徴とする。
請求項２６記載の発明は、請求項２４記載の構造設計システム用記録媒体において、前記プログラムは、コンピュータを、さらに、前記壁の低減率を設定する設定手段として機能させ、前記検査手段による検査内容は、前記設定手段により設定された低減率に基づく、前記建築物の強度に応じた前記壁の必要量に関する検査であることを特徴とする。
請求項２７記載の発明は、請求項１５ないし請求項２６のいずれかに記載の構造設計システム用記録媒体において、前記検査手段は、前記図面が示す建築物の梁、小壁、壁圧縮、基礎の断面の強度について検査することを特徴とする。
請求項２８記載の発明は、請求項１５ないし請求項２７のいずれかに記載の構造設計システム用記録媒体において、前記検査手段は、前記図面が示す建築物の転倒強度について検査することを特徴とする。
【０００６】
【発明の実施の形態】
以下、図面を参照して、この発明の実施形態について説明する。
図１は、この発明の一実施形態による構造設計システムの構成例を示すブロック図である。本システムは、その具体例として、ＭＳ−Ｗｉｎｄｏｗｓ（登録商標）上で起動するアプリケーションとして実現される。
【０００７】
この図において、ＣＰＵ（中央処理装置）１は、メインバスを介して、ＲＯＭ（リードオンリメモリ）２，ＲＡＭ（ランダムアクセスメモリ）３，表示装置４，操作部５，印刷装置６およびＨＤＤ（ハードディスク装置）７と制御信号およびデータの授受を行い、各種処理を行う。
ＲＯＭ・２は、ＣＰＵ・１において実行される本システムのプログラムを格納している。なお、本システムでは、ＣＰＵ・１のプログラムはＲＯＭ・２内に格納されているが、該プログラムの規模が大きい場合には、基本的な制御を司るプログラムのみをＲＯＭ・２に格納し、残りのプログラムについては、必要に応じてＨＤＤ・７から読み出すようにしても良い。
ＲＡＭ・３は、ＣＰＵ・１のワークメモリとして使用される。
【０００８】
表示装置４は、具体的には、ＣＲＴディスプレイおよびその表示回路から構成される。図２は、表示装置４の基本的な表示画面の一例を示す説明図である。この図において、フレームウィンドウ２１は、本システムの起動時に開かれるウィンドウであり、ファイル操作，自動処理，編集ウィンドウのオープンなどシステム関連の操作を行うためのウィンドウである。コマンドウィンドウ２２は、本システムの起動時に、フレームウィンドウ２１と共に開かれるウィンドウであり、編集処理（すなわち、コマンド）の選択を行うためのウィンドウである。メッセージウィンドウ２３は、処理内容やエラーメッセージを表示するためのウィンドウである。カーソル位置表示ウィンドウ２４は、マウスカーソルの位置を座標値で表示するためのウィンドウである。この他に、２５はタイトルバー、２６はメニューバー，２７はコントロールメニューボックス、２８はアイコン化ボタン、２９は最大表示ボタンである。
【０００９】
また、図１において、操作部５は、一例として、キーボードとマウスから構成される。ここで、キーボードは、文字や数字の入力に用いられ、マウスは、表示装置４の表示画面上に表示されたソフトスイッチの操作や、配置要素の選択および移動に用いられる。
印刷装置６は、一例としてカラープリンタである。
ＨＤＤ・７は、本システムで作成した各種ファイルを格納している。
【００１０】
次に、上記構成による構造設計システムの動作を説明する。
図３は、この発明の一実施形態による構造設計システムの操作手順例を示すフローチャートである。以下、この図に示す各ステップごとに、該ステップにおける操作を説明する。なお、図３はあくまで一例であり、プランの読み込みや保存、編集ウィンドウや環境情報の設定、印刷等は、必要に応じて適宜行われるものとする。
【００１１】
（１）システムの起動
オペレータが、本システムに電源を投入し、表示装置４に表示された所定のアイコンをクリックすると、フレームウィンドウ２１とコマンドウィンドウ２２が表示され、起動が完了する（ステップＳ１）。
【００１２】
（２）プランの読み込み
起動が完了すると、本システムの処理は、プランのロードにはいる（ステップＳ２）。
まず、オペレータが、メニューバー２６の「Ｆｉｌｅ」をクリックすると、ファイルメニューが表示される。
ファイルメニューにおいて、オペレータが、「Ｌ／プランロード」をクリックすると、プランロードダイアログが表示される（図４参照）。
プランロードダイアログにおいて、オペレータが、一覧表示されたプランの中から、ロードするプランにカーソルを合わせ、「了解」をクリックするか、ロードするプランをダブルクリックすると、クリックされたプランがロードされる。
なお、新規プランの場合には、”新規”と表示されたプランに対して、同様の操作を行なう。
プランのロードが完了すると、フレームウィンドウ２１のタイトルバー２５の表示が、ロードされたプラン名に変わる。なお、”新規”プランがロードされた場合には、タイトルバー２５の表示は、”新規プラン邸”に変わる。
【００１３】
また、ファイルメニューにおいて、オペレータが、「Ｉ／インポート」をクリックすると、インポートファイル選択ダイアログが表示される。
インポートファイル選択ダイアログでは、他のＣＡＤソフトで作成した画像情報を下図として、取り込むことができる。
【００１４】
（３）編集ウィンドウの設定
プランのロードが終了したら、実際の編集作業にはいる前に、以下に示す各処理を必要に応じて行って、編集ウィンドウの各種設定を行う（ステップＳ３）。
【００１５】
（３−１）編集ウィンドウのオープン
本システムでは、編集ウィンドウとして、屋根図用と構造図用との２種類があり、それぞれ、１階から３階までの編集が可能である。
オペレータが、メニューバー２６の「Ｅ／ＣＡＤ編集」をクリックすると、ＣＡＤ編集メニューが表示される。
ＣＡＤ編集メニューにおいて、オペレータが、「Ｒ／屋根」をクリックすると、１階の屋根図の編集ウィンドウが表示される。また、ＣＡＤ編集メニューにおいて、オペレータが、「Ｃ／構造」をクリックすると、１階の構造図の編集ウィンドウが表示される。２階，３階の編集を行う場合には、後述するコマンド「階切替」が使用される。
【００１６】
（３−２）編集ウィンドウの切り替え
「Ｒ／屋根」および「Ｃ／構造」で編集ウィンドウが開かれると、該編集ウィンドウに対応する項目（１階屋根図、１階構造図等）が、上記ＣＡＤ編集メニューに追加される（図５参照）。ここで、例えば、１階屋根図が表示されているときに、オペレータがＣＡＤ編集メニューに追加された「１階  構造図」をクリックすると、編集ウィンドウの表示は、１階屋根図から１階構造図に切り替わる。
【００１７】
（３−３）編集ウィンドウの並び替え
オペレータが、メニューバー２６の「Ｗ／ウィンドウ」をクリックすると、ウィンドウメニューが表示される。
ウィンドウメニューにおいて、オペレータが、「Ｔ／タイル表示」をクリックすると、現在編集中の全ての編集ウィンドウが、タイル表示される。ここで、タイル表示とは、表示画面全体を等分割し、各分割画面に各編集ウィンドウの一部を、表示することを指す（図６参照）。
また、ウィンドウメニューにおいて、オペレータが、「Ｃ／カスケード表示」をクリックすると、現在編集中の全ての編集ウィンドウが、カスケード表示される。ここで、カスケード表示とは、複数の編集ウィンドウを、左上から右下方向へ向かって、少しずつずらしながら、かつ、重ね合わせて表示することを指す（図７参照）。
【００１８】
（３−４）編集ウィンドウのアイコン化
オペレータが、編集ウィンドウのアイコン化ボタン２８をクリックすると、該編集ウィンドウはアイコン化される。なお、編集ウィンドウのアイコン化は、編集ウィンドウのコントロールメニューボックス２７をクリックした後、表示されたメニューの「アイコン化（Ｎ）」を選択しても可能である。
また、オペレータが、アイコンをクリックして、「元のサイズに戻す（Ｒ）」を選択するか、または、該アイコンをダブルクリックすると、アイコン化された編集ウィンドウは元のサイズに戻る。
【００１９】
（３−５）編集ウィンドウの最大表示
オペレータが、編集ウィンドウの最大表示ボタン２９をクリックすると、該編集ウィンドウは最大表示される。なお、編集ウィンドウの最大表示は、編集ウィンドウのコントロールメニューボックス２７をクリックした後、表示されたメニューの「最大表示（Ｘ）」を選択しても可能である。最大表示すると、編集ウィンドウは、フレームウィンドウ２１のメニューバー２６とメッセージウィンドウ２３との間に最大表示される。
また、オペレータが、コントロールメニューボックス２７をクリックした後、表示されたメニューの「元のサイズに戻す（Ｒ）」をクリックするか、または、標準化ボタン（ウィンドウの左上に表示される▲▼ボタン）をクリックすると、最大化された編集ウィンドウは元のサイズに戻る。
【００２０】
（３−６）コマンドウィンドウの最小化
オペレータが、コマンドウィンドウ２２のタイトルバー（「コマンド」と表示されている箇所）を右ボタンでクリックすると、該コマンドウィンドウ２２は最小表示される。最小化されたコマンドウィンドウ２２は、タイトルバーだけの大きさになり、フレームウィンドウ２１のタイトルバー２５上に移動する。
オペレータが、最小化されたコマンドウィンドウ２２を右ボタンでクリックすると、該コマンドウィンドウ２２は元のサイズに戻る。
【００２１】
（３−７）編集ウィンドウのクローズ
オペレータが、編集ウィンドウのコントロールメニューボックス２７をクリックした後、表示されたメニューの「閉じる（Ｃ）」を選択すると、該編集ウィンドウは閉じる。なお、編集ウィンドウのクローズは、編集ウィンドウのコントロールメニューボックス２７をダブルクリックしても可能である。
なお、編集ウィンドウを閉じても、編集内容（壁線や領域の入力／削除、壁量などの計算結果）は有効である。そのため、後述するコマンド「再表示」を用いて、編集ウィンドウが、再度開かれると、該編集ウィンドウは、閉じる前の編集内容で表示される。
【００２２】
（４）環境情報の設定
本システムでは、実際の編集作業にはいる前に、編集ウィンドウの設定の他に、必要に応じて、以下の手順で、環境情報が設定される（ステップＳ４）。
まず、オペレータが、メニューバー２６の「Ｏ／オプション」をクリックすると、オプションメニューが表示される。
【００２３】
（４−１）プラン情報の設定
オプションメニューにおいて、オペレータが、「Ｐ／プラン情報」をクリックすると、プラン情報ダイアログが表示される（図８参照）。
プラン情報ダイアログにおいて、オペレータが、各設定情報を入力し、「了解」をクリックすると、該設定情報は、現在編集中のプランの情報として設定される。
なお、プラン情報ダイアログにおいて、オペレータが、「パネル高さ・床厚さ」をクリックすると、パネル高さ・床厚さダイアログが表示される（図９参照）。パネル高さ・床厚さダイアログにおいて、オペレータが、各設定情報を入力し、「終了」をクリックすると、該設定情報は、現在編集中のプランの情報として設定される。なお、パネル高さ・床厚さダイアログにおいて、オペレータが、「初期値表示」をクリックすると、パネル高さ・床厚さに関する各設定情報は、初期設定値に設定される。
【００２４】
（４−２）平面グリッドの設定
オプションメニューにおいて、オペレータが、「Ｈ／平面グリッド」をクリックすると、平面グリッド情報ダイアログが表示される（図１０参照）。
平面グリッド情報ダイアログにおいて、オペレータが、各設定情報を入力し、「了解」をクリックすると、該設定情報は、編集ウィンドウの環境情報として設定される。ここで、「マスター環境」は、本システムに対する初期値を設定する場合に選択され、「プラン別環境」は、現在編集中のプランのみの環境情報を設定する場合に選択される。また、「Ｘ方向情報」では、Ｘ方向のグリッド数と表示基準座標が指定され、「Ｙ方向情報」では、Ｙ方向のグリッド数と表示基準座標が指定される。「モジュール間隔」では、画面上に表示するグリッド線の間隔が、１／４モジュール単位で指定される。「±４５ｍｍ」では、画面上のグリッド線の隣に４５ｍｍズレ線の表示を行う場合には「あり」が、表示を行わない場合には「なし」が選択される。
【００２５】
（４−３）下図の設定
オプションメニューにおいて、オペレータが、「Ｓ／下図表示」をクリックすると、下図表示情報設定ダイアログが表示される。
下図表示情報設定ダイアログにおいて、オペレータが、下図を表示する階層にチェックマーク（×）を付け、「実行」をクリックすると、該階層の下図が表示される。本システムでは、構造図の３階が選択された場合には、構造図の２階が、構造図の２階が選択された場合には、構造図の１階が、屋根図の３階が選択された場合には、構造図の３階が、屋根図の２階が選択された場合には、構造図の２階が、屋根図の１階が選択された場合には、構造図の１階が下図として表示される。
【００２６】
（４−４）フォントの指定
オプションメニューにおいて、オペレータが、「Ｆ／フォント指定」をクリックすると、フォント選択ダイアログが表示される。
フォント選択ダイアログにおいて、オペレータが、文字フォントの種類，サイズ等を入力し、「了解」をクリックすると、編集ウィンドウにおける表示および印刷は、該設定されたフォントで行われる。
【００２７】
（４−５）バージョン表示
オペレータが、メニューバー２６の「Ｗ／ウィンドウ」をクリックすると、ウィンドウメニューが表示される。
ウィンドウメニューにおいて、オペレータが、「Ｖ／バージョン表示」をクリックすると、バージョン情報ダイアログが開き、本システムのバージョンと使用可能メモリ量が表示される。
【００２８】
（５）編集
編集ウィンドウおよび環境情報の設定が終了すると、オペレータは、メニューバー２６のメニューおよびコマンドウィンドウ２２のコマンドを用いて、実際の編集作業にはいる（ステップＳ５）。以下、編集作業に用いられるメニューおよびコマンドを個別に解説する。
【００２９】
（５−１）配置コマンド
オペレータが、コマンドウィンドウ２２の「配置」をクリックすると、現在選択されている要素が画面上に配置される。
【００３０】
（５−２）通芯コマンド
オペレータが、コマンドウィンドウ２２の「通芯」をクリックすると、通り芯の設定／解除が可能となる。
ここで、オペレータが、設定したい通りをクリックすると、クリックした通りに通り芯が設定される。通り芯の設定は、１／４グリッド単位で可能である。
また、オペレータが、既に通り芯が設定されている通りをクリックすると、その通り芯は解除される。
【００３１】
（５−３）文字コマンド
オペレータが、コマンドウィンドウ２２の「文字」をクリックすると、編集ウィンドウ上に文字の入力が可能となる。
ここで、オペレータが、文字入力の開始位置を指示すると、文字入力ダイアログが表示される。文字入力ダイアログにおいて、オペレータが、入力文字と文字方向を入力し、「了解」をクリックすると、該入力文字と文字方向が設定される。一方、オペレータが、「取消」をクリックすると、入力された入力文字と文字方向がクリアされる。
入力文字と文字方向の設定後、オペレータが、文字を表示したい範囲の対角点（２点）をクリックすると、該表示範囲内に、設定された入力文字が、設定された文字方向で表示される。
【００３２】
（５−４）引出コマンド
オペレータが、コマンドウィンドウ２２の「引出」をクリックすると、引出線の入力が可能となる。
ここで、オペレータが、生成したい引出線の座標を連続的にクリックし、最後にダブルクリックすると、クリックされた座標をクリックされた順番で結ぶ引出線が生成される。この時、ダブルクリックされた座標が、該引出線の終端の座標となる。
【００３３】
（５−５）Ｃｌｉｐコマンド
オペレータが、コマンドウィンドウ２２の「Ｃｌｉｐ」をクリックすると、クリップボードダイアログが表示される（図１１参照）。
クリップボードダイアログにおいて、オペレータが、「読み込み」欄の「クリップ」を選択し、下段に並んだソフトボタンのうちの「読み込み」をクリックすると、ＭＳ−Ｗｉｎｄｏｗｓ（登録商標）アプリケーションのクリップボードに取り込まれている画像データが、「編集エリア」に表示される。そして、オペレータが、この画像データに対する図形ＩＤを入力した後、「了解」をクリックすると、該画像データが、編集ウィンドウ上に配置可能となる。以降、この画像データは、入力された図形ＩＤで呼び出すことが可能となる。
一方、クリップボードダイアログにおいて、オペレータが、「読み込み」欄の「図形ＩＤ」を選択し、下段に並んだソフトボタンのうちの「読み込み」をクリックすると、すでに、本コマンド（Ｃｌｉｐコマンド）で保存されている画像データの図形ＩＤの一覧が、「図形ＩＤ」欄に表示される。そして、オペレータが、呼び出したい画像データの図形ＩＤにカーソルを合わせ、「了解」をクリックすると、該画像データが、編集ウィンドウ上に配置可能となる。
【００３４】
（５−６）Ｃｏｐｙコマンド
オペレータが、コマンドウィンドウ２２の「Ｃｏｐｙ」をクリックすると、既に配置されている要素のコピーが可能となる。
ここで、オペレータが、コピーしたい要素をクリックすると、該コピー対象要素の形状がラバーバンドで表示される。次に、オペレータが、マウスを用いてカーソルを移動させ、左ボタンをダブルクリックすると、該コピー対象要素は、カーソルの移動先にコピーされる。
【００３５】
（５−７）表示切替コマンド
オペレータが、コマンドウィンドウ２２の「表切替」をクリックすると、表示切り替えダイアログが表示される。
表示切り替えダイアログにおいて、オペレータが、「グリッド表示」にチェックマーク（×）を付け、「了解」をクリックすると、編集ウィンドウ上にグリッド線が表示され、一方、「グリッド表示」のチェックマーク（×）を消し、「了解」をクリックすると、編集ウィンドウ上にグリッド線が表示されなくなる。
また、表示切り替えダイアログにおいて、オペレータが、「基準点表示」にチェックマーク（×）を付け、「了解」をクリックすると、配置されている要素の配置基準点が表示され、一方、「基準点表示」のチェックマーク（×）を消し、「了解」をクリックすると、配置基準点が表示されなくなる。
また、表示切り替えダイアログにおいて、オペレータが、「取消」をクリックすると、表示の切り替えは中止され、表示切り替えダイアログは閉じる。
【００３６】
（５−８）階切替コマンド
オペレータが、コマンドウィンドウ２２の「階切替」をクリックすると、階層選択ダイアログが表示される。
階層選択ダイアログにおいて、オペレータが、表示したい階層にカーソルを合わせ、「了解」をクリックすると、編集ウィンドウに表示される階層が切り替えられる。
【００３７】
（５−９）再表示コマンド
オペレータが、コマンドウィンドウ２２の「再表示」をクリックすると、現在閉じられている編集ウィンドウが再表示される。
【００３８】
（５−１０）削除コマンド
オペレータが、コマンドウィンドウ２２の「削除」をクリックすると、既に配置されている要素の削除が可能となる。
ここで、オペレータが、削除したい要素をクリックすると、該削除対象要素が編集ウィンドウ上から削除される。また、オペレータが、削除したい要素を含む範囲の対角点（２点）をクリックすると、該範囲内の全ての要素が、編集ウィンドウ上から削除される。
【００３９】
（５−１１）移動コマンド
オペレータが、コマンドウィンドウ２２の「移動」をクリックすると、既に配置されている要素の移動が可能となる。
ここで、オペレータが、移動したい要素をクリックすると、該移動対象要素の形状がラバーバンドで表示される。次に、オペレータが、マウスを用いてカーソルを移動させると、該移動対象要素は該カーソルに付随して移動する。そして、オペレータが、カーソルを移動先に置いて、マウスの左ボタンをクリックすると、該移動対象要素は、該移動先に固定される。
【００４０】
（５−１２）拡大コマンド
オペレータが、コマンドウィンドウ２２の「拡大」をクリックすると、編集ウィンドウ上の任意の部分を拡大して表示することが可能となる。
ここで、オペレータが、拡大表示させたい範囲の対角点（２点）をクリックすると、該範囲が、編集ウィンドウ一杯の大きさで拡大表示される。
【００４１】
（５−１３）縮小コマンド
オペレータが、コマンドウィンドウ２２の「縮小」をクリックすると、縮小ダイアログが表示される。
縮小ダイアログにおいて、オペレータが、「拡大解除」を選択した後、「了解」をクリックすると、編集ウィンドウの表示は、予め設定されている標準倍率（１００％）の大きさになる。また、縮小ダイアログにおいて、オペレータが、「１／２」を選択した後、「了解」をクリックすると、編集ウィンドウの表示倍率は、現在表示されている画面の１／２に縮小される。同様に、縮小ダイアログにおいて、オペレータが、「１／４」を選択した後、「了解」をクリックすると、編集ウィンドウの表示倍率は、現在表示されている画面の１／４に縮小される。
【００４２】
（５−１４）情報コマンド
オペレータが、コマンドウィンドウ２２の「情報」をクリックすると、インフォメーションダイアログが表示される（図１２参照）。
本システムでは、現在配置されている全ての要素に対して、個別の識別番号（レコードＮｏ．）が付けられており、インフォメーションダイアログには、このうちの任意の１つの要素のデータが表示される。
インフォメーションダイアログにおいて、オペレータが、「はい（Ｙ）」をクリックすると、該インフォメーションダイアログに表示されるデータは、次の識別番号（レコードＮｏ．）の要素のデータに変わる。
一方、インフォメーションダイアログにおいて、オペレータが、「いいえ（Ｎ）」をクリックすると、該インフォメーションダイアログに表示されるデータは、１つ前の識別番号（レコードＮｏ．）の要素のデータに変わる。
また、インフォメーションダイアログにおいて、オペレータが、「キャンセル」をクリックすると、該インフォメーションダイアログは閉じ、データの表示が終了する。
【００４３】
（５−１５）壁線コマンド
オペレータがコマンドウィンドウ２２の「壁線」を選択すると、壁線メニューが表示される。
壁線メニューにおいて、オペレータが、「耐力壁線」にカーソルを合わせ、「選択」をクリックすると、耐力壁線の入力が可能となる。ここで、オペレータが、耐力壁線の始点位置と終点位置を指示した後、マウスの左ボタンをクリックすると、該始点位置と終点位置との間に耐力壁線が入力される（図１３参照）。
上記壁線メニューには、上記「耐力壁線」の他に、「支持壁線」，「間仕切壁線」があり、これらの入力も同様の手順で行うことができる。
【００４４】
（５−１６）開口コマンド
オペレータがコマンドウィンドウ２２の「開口」を選択すると、開口メニューが表示される。
開口メニューにおいて、オペレータが「開口（垂壁・腰壁あり）」にカーソルを合わせ、「選択」をクリックすると、開口（垂壁・腰壁あり）の入力が可能となる。ここで、オペレータが、開口の始点位置と終点位置を指示した後、マウスの左ボタンをクリックすると、該始点位置と終点位置との間に開口（垂壁・腰壁あり）が入力される（図１４参照）。
上記壁線メニューには、上記「開口（垂壁・腰壁あり）」の他に、「開口（垂壁のみ）」，「開口（垂壁・腰壁なし）」，「門型パネル」があり、これらの入力も同様の手順で行うことができる。
なお、入力された開口（垂壁・腰壁あり）は、該開口の脇に「ＴＫ」と表示され、入力された開口（垂壁のみ）は、該開口の脇に「Ｔ」と表示され、入力された門型パネルは、該門型パネルの脇に「ＭＣＷ」と表示される。
【００４５】
（５−１７）結合材コマンド
オペレータがコマンドウィンドウ２２の「結合材」を選択すると、結合材メニューが表示される。
結合材メニューにおいて、オペレータが結合材メニューの「アンカー／胴差ボルト」にカーソルを合わせ、「選択」をクリックすると、アンカー／胴差ボルトの入力が可能となる。ここで、オペレータが、アンカー／胴差ボルトの配置の基準となるグリッドを指示した後、ズレ方向を指示すると、該グリッドを基準とし、該ズレ方向へズレた点に、アンカー／胴差ボルトが配置される。
上記結合材メニューには、上記「アンカー／胴差ボルト」の他に、「３階建コーナー結合材」，「付属下屋用支持柱」があり、これらの入力も同様の手順で行うことができる。
【００４６】
（５−１８）外周コマンド
オペレータがコマンドウィンドウ２２の「外周」を選択すると、外周メニューが表示される。
外周メニューにおいて、オペレータが、「外周領域」にカーソルを合わせ、「選択」をクリックすると、外周領域の入力が可能となる。ここで、オペレータが、外周領域の構成座標を連続的にクリックした後、マウスの左ボタンをダブルクリックすると、該構成座標を結ぶ線を外周とする外周領域が入力される。
上記外周メニューには、上記「外周領域」の他に、「外壁線」があり、この入力も同様の手順で行うことができる。
なお、外周領域とは、建物の外周（耐力壁線、支持壁線）を指し、外周領域を入力する場合、オペレータは、上記構成座標を３点以上指示する必要がある。外壁線とは、３階建の１階のカーポート等に面する内部壁線でガゼット金物を付けることにより外壁扱いすることができる壁線を指し、外壁線を入力する場合、オペレータは、上記構成座標を２点以上指示する必要がある。
【００４７】
（５−１９）雁行コマンド
オペレータが、コマンドウィンドウ２２の「雁行」をクリックした後、雁行の構成座標（４点）を連続的に指示し、マウスの左ボタンをクリックすると、該雁行は、耐力壁線の雁行チェックを行う必要がある箇所として入力される（図１５参照）。
【００４８】
（５−２０）領域コマンド
屋根図の編集時に、オペレータが、コマンドウィンドウ２２の「領域」をクリックすると、屋根図用の領域メニューが表示される。
該領域メニューにおいて、オペレータが、「屋根面領域」にカーソルを合わせ、「選択」をクリックすると、屋根面領域の入力が可能となる。ここで、オペレータが、領域の構成座標を連続的にクリックした後、ダブルクリックすると、該領域が、屋根面領域として入力される。
上記領域メニューには、上記「屋根面領域」の他に、「庇面領域」があり、この入力も同様の手順で行うことができる。
【００４９】
一方、構造図の編集時に、オペレータが、コマンドウィンドウ２２の「領域」をクリックすると、構造図用の領域メニューが表示される（図１６参照）。
該領域メニューにおいて、オペレータが、「オーバーハング」にカーソルを合わせ、「選択」をクリックすると、オーバーハングの入力が可能となる。ここで、オペレータが、領域の構成座標を連続的にクリックした後、ダブルクリックすると、該領域が、オーバーハングとして入力される。
上記領域メニューには、上記「オーバーハング」の他に、「吹抜」，「スキップフロア」等があり、これらの入力も同様の手順で行うことができる。
【００５０】
（５−２１）低減コマンド
オペレータがコマンドウィンドウ２２の「低減」を選択すると、低減率メニューが表示される。
低減率メニューにおいて、オペレータが、設定したい低減率にカーソルを合わせ、「了解」をクリックすると、該低減率が選択される。
次に、オペレータが、低減を設定する壁の始点座標と終点座標を指示すると、該始点座標と終点座標を結ぶ壁に、低減率メニューより選択された低減率が設定される。さらに、オペレータが低減率を表示する位置を指示すると、該位置に、選択された低減率が表示される（図１７参照）。
【００５１】
（５−２２）壁量コマンド
オペレータがコマンドウィンドウ２２の「壁量」を選択すると、壁量メニューが表示される。
壁量メニューにおいて、オペレータが、「見付巾」にカーソルを合わせ、「選択」をクリックすると、見付巾の入力が可能となる。ここで、オペレータが、開始位置と終了位置を指示すると、見付巾が入力される。次に、オペレータが、表示位置を指示すると、入力された見付巾の壁量記号が、指示された表示位置に表示される（図１８参照）。
一方、壁量メニューにおいて、オペレータが、「地震ブロック」にカーソルを合わせ、「選択」をクリックすると、地震ブロックの入力が可能となる。ここで、オペレータが、地震ブロックの構成座標を連続的に指示し、最後にダブルクリックすると、地震ブロックが入力される。次に、オペレータが、表示位置を指示すると、入力された地震ブロックの壁量記号が、指示した表示位置に表示される（図１９参照）。
【００５２】
（５−２３）関○コマンド
本システムでは、地震の負担面積に算入しなければならない特殊領域がある場合、入力した地震ブロックと該特殊領域とを関係付ける必要がある。
オペレータがコマンドウィンドウ２２の「関○」を選択すると、地震ブロックと特殊領域との関係付けが可能となる。
ここで、オペレータが、対象となる地震ブロックの壁量記号を指示し、次に、対象となる特殊領域を指示し、最後に、マウスの左ボタンをクリックすると、指示された地震ブロックと特殊領域とが関係付けられる。
【００５３】
（５−２４）関×コマンド
オペレータがコマンドウィンドウ２２の「関×」を選択すると、地震ブロックと特殊領域との関係解除が可能となる。
ここで、オペレータが、関係付けられている地震ブロックの壁量記号を指示すると、該地震ブロックに関係付けられている特殊領域の表示が青くなる。次に、オペレータが、青くなっている特殊領域の中から、関係を解除したい特殊領域を指示し、マウスの左ボタンをクリックすると、指示された地震ブロックと特殊領域との関係が解除される。
【００５４】
（５−２５）床方向コマンド
オペレータがコマンドウィンドウ２２の「床方向」を選択すると、敷き方向設定ダイアログが表示される。
敷き方向設定ダイアログにおいて、オペレータが「はい（Ｙ）」を選択すると、敷方向の設定が可能となる。ここで、オペレータが、編集ウィンドウ上の１点を指示すると、該点を含む領域が、敷方向を設定する領域として選択される。指示された点は、設定する敷方向の始点となる。次に、オペレータが、２点目を指示すると、上記１点目から２点目に向かう方向が、敷方向として設定される。
一方、敷き方向設定ダイアログにおいて、オペレータが「いいえ（Ｎ）」を選択すると、既に設定されている敷方向の方向転換が可能となる。ここで、オペレータが、編集ウィンドウ上の１点を指示すると、該点を含む領域が、方向転換する領域として選択される。次に、オペレータが、ダブルクリックすると、既に設定されている敷方向の方向が変わる。
【００５５】
（５−２６）梁設定コマンド
オペレータがコマンドウィンドウ２２の「梁設定」を選択すると、梁メニューが表示される。
梁メニューにおいて、オペレータが、「屋根梁」にカーソルを合わせ、「選択」をクリックすると、屋根梁の設定が可能となる。
ここで、オペレータが、屋根梁の始点位置と終点位置を指示した後、該マウスの左ボタンをクリックすると、該始点位置と終点位置との間に屋根梁が設定される（図２０参照）。
上記梁メニューには、上記「屋根梁」の他に、「鋼製梁」，「Ｂ梁」，「母屋」があり、これらの設定も同様の手順で行うことができる。
【００５６】
（５−２７）梁算定コマンド
オペレータが、コマンドウィンドウ２２の「梁算定」をクリックすると、梁情報表示ダイアログが表示される（図２１参照）。
梁情報表示ダイアログにおいて、オペレータが、「屋根梁」，「鋼製梁」，「Ｂ梁」，「母屋」のいずれかを選択すると、選択された梁に対する情報設定が可能となる。
次に、梁情報表示ダイアログにおいて、オペレータが、「負担設定」をクリックすると、負担巾設定ダイアログが表示される（図２２参照）。負担巾設定ダイアログにおいて、オペレータが、各設定値を入力し、「終了」をクリックすると、各設定情報は、入力された値に設定される。このとき、屋根負担巾には勾配係数を掛ける必要がない。
【００５７】
また、梁情報表示ダイアログにおいて、オペレータが、「断面算定」をクリックすると、断面算定が行われる。算定された断面は、編集ウィンドウ上に表示される。
梁情報表示ダイアログにおいて、オペレータが、「終了」をクリックすると、選択されている情報を設定し、次の梁の情報設定にはいる。一方、梁情報表示ダイアログにおいて、オペレータが、「取消」をクリックすると、選択されている情報を設定せずに、次の梁の情報設定にはいる。梁情報表示ダイアログにおいて、オペレータが、該ダイアログのコントロールメニューボックス２７をダブルクリックすると、情報設定は中止される。
【００５８】
（５−２８）小壁等コマンド
オペレータが、コマンドウィンドウ２２の「小壁等」をクリックすると、マグサ／小壁／ＬＶＧ断面選択ダイアログが表示される（図２３参照）。
マグサ／小壁／ＬＶＧ断面選択ダイアログにおいて、オペレータが、「マグサ」，「小壁」，「ＬＶＧ」のいずれかを選択すると、選択された開口の情報設定が可能となる。
【００５９】
また、マグサ／小壁／ＬＶＧ断面選択ダイアログにおいて、オペレータが、「負担設定」をクリックすると、負担巾設定ダイアログが表示される（図２４参照）。負担巾設定ダイアログにおいて、オペレータが、各設定値を入力し、「終了」をクリックすると、各設定情報は、入力された値に設定される。このとき、屋根負担巾には勾配係数を掛ける必要がない。また、バルコニー負担巾は、屋根，床の負担巾とは区別され、バルコニーの欄に入力される。また、バルコニー手摺壁が有る場合には、「手摺」にチェックマーク（×）を付け、無い場合には、同欄は無印となる。
【００６０】
マグサ／小壁／ＬＶＧ断面選択ダイアログにおいて、オペレータが、「断面算定」をクリックすると、断面算定が行われる。算定された断面は、編集ウィンドウ上に表示される。
マグサ／小壁／ＬＶＧ断面選択ダイアログにおいて、オペレータが、「終了」をクリックすると、選択されている情報を設定し、次の開口の情報設定にはいる。一方、マグサ／小壁／ＬＶＧ断面選択ダイアログにおいて、オペレータが、「取消」をクリックすると、選択されている情報を設定せずに、次の開口の情報設定にはいる。また、マグサ／小壁／ＬＶＧ断面選択ダイアログにおいて、オペレータが、該ダイアログのコントロールメニューボックス２７をダブルクリックすると、情報設定は中止される。
【００６１】
（５−２９）壁圧縮コマンド
オペレータが、コマンドウィンドウ２２の「壁圧縮」をクリックすると、本システムの処理は壁圧縮チェックにはいる。
まず、オペレータが、壁圧縮チェックを行う箇所の始点，中間点，終点位置を指定すると、壁圧縮情報設定ダイアログが表示される（図２５参照）。このとき、中間点の位置は、ＳＨＩＦＴキーを押しながら、マウスの左ボタンをクリックすることで入力される。
壁圧縮情報設定ダイアログにおいて、オペレータが、壁高さと設計時の半割本数を入力し、「了解」をクリックすると、負担面積設定ダイアログが表示される（図２６参照）。負担面積設定ダイアログにおいて、オペレータが、各負担情報を入力し、「断面算定」をクリックすると、断面算定が行われる。このとき、各負担は面積（単位Ｍ2 ）で入力されるが、バルコニーの手摺壁は長さ（単位Ｍ）で入力される。算定結果は、負担面積設定ダイアログの右下および編集ウィンドウ上に表示される。この算定結果は、始点，中間点，終点位置が示す壁長さに対して必要な半割の本数を表している。
【００６２】
（５−３０）基礎コマンド
オペレータが、コマンドウィンドウ２２の「基礎」をクリックすると、本システムの処理は、基礎の入力、および、基礎低盤巾の設定にはいる。
まず、オペレータが、編集ウィンドウ上において、任意の２点をクリックすると、該２点を対角点とする領域が、基礎の領域として入力される。
次に、オペレータが３点目をクリックすると、負担巾設定ダイアログが表示される（図２７参照）。
負担巾設定ダイアログにおいて、オペレータが、各負担巾を入力し、「断面算定」をクリックすると、断面算定が行われる。このとき、各負担巾の入力方法は、小壁等の場合と同様である。算定された断面は、編集ウィンドウ上に表示される。
負担巾設定ダイアログにおいて、オペレータが、「終了」をクリックすると、入力した負担巾が設定される。一方、負担巾設定ダイアログにおいて、オペレータが、「取消」をクリックすると、負担巾の入力が中止される。
【００６３】
（５−３１）門算定コマンド
オペレータが、コマンドウィンドウ２２の「門算定」をクリックすると、本システムの処理は、門型パネルのチェックにはいる。
まず、オペレータが、チェックの対象となる門型パネルをクリックすると、門型パネル負担設定ダイアログが表示される（図２８参照）。
門型パネル負担設定ダイアログにおいて、オペレータは、「設定部位」，「基礎種別」，「設定位置」のぞれぞれについて、チェック項目を１つ選択する。
ここで、設定部位は、門型パネルのチェックを行う部位（梁部，柱部，基礎）である。また、基礎種別は、基礎のチェックを行う場合に、独立基礎または連続基礎のいずれかが選択される。また、設定位置は、柱部および独立基礎のチェックを行う場合に、チェックする箇所（左または右）が選択される。
チェック箇所の選択後、オペレータが、「負担設定」をクリックすると、選択されたチェック箇所に関する負担設定ダイアログが表示される。
【００６４】
例えば、門型パネル負担設定ダイアログにおいて、「梁部」が選択され、「負担設定」がクリックされると、梁部負担設定ダイアログが表示される（図２９参照）。
梁部負担設定ダイアログにおいて、オペレータが、「負担設定」をクリックすると、負担巾設定ダイアログが表示される。負担巾設定ダイアログにおいて、オペレータが、各負担情報を入力し、「終了」をクリックすると、該各負担情報は、入力された値に設定される。
次に、梁部負担設定ダイアログにおいて、オペレータが、「断面算定」をクリックすると、梁部の断面算定が行われる。算定結果は、該ダイアログ上および編集ウィンドウ上に表示される。
【００６５】
また、門型パネル負担設定ダイアログにおいて、「柱部」が選択され、「負担設定」がクリックされると、柱部負担設定ダイアログが表示される（図３０参照）。
柱部負担設定ダイアログにおいて、オペレータが、「負担設定」をクリックすると、負担面積設定ダイアログが表示される。負担面積設定ダイアログにおいて、オペレータが、各負担情報を入力し、「終了」をクリックすると、該各負担情報は、入力された値に設定される。
柱部負担設定ダイアログにおいて、オペレータが、「断面算定」をクリックすると、柱部の断面算定が行われる。算定結果は、該ダイアログ上および編集ウィンドウ上に○×で表示される。
【００６６】
また、門型パネル負担設定ダイアログにおいて、「独立基礎」が選択され、「負担設定」がクリックされると、基礎（独立）負担設定ダイアログが表示される（図３１参照）。
基礎（独立）負担設定ダイアログでは、オペレータは、独立基礎の立ち上がり部分の平面の大きさを選択することができる。
また、基礎（独立）負担設定ダイアログにおいて、オペレータが、「負担設定」をクリックすると、負担面積設定ダイアログが表示される。負担面積設定ダイアログにおいて、オペレータが、各負担情報を入力し、「終了」をクリックすると、該各負担情報は、入力された値に設定される。
また、基礎（独立）負担設定ダイアログにおいて、オペレータは、設計の底盤形状（底盤面積）を入力することができる。このとき、底盤の長辺の長さは、短辺の長さの１．５倍以下とする。
次に、基礎（独立）負担設定ダイアログにおいて、オペレータが、「断面算定」をクリックすると、断面算定が行われる。算定結果は、該ダイアログ上および編集ウィンドウ上に表示される。このとき、設計時の底盤面積が不足している場合には、算定結果は、編集ウィンドウ上では、赤く表示される。
【００６７】
また、門型パネル負担設定ダイアログにおいて、「連続基礎」が選択され、「負担設定」がクリックされると、基礎（連続）負担設定ダイアログが表示される（図３２参照）。
基礎（連続）負担設定ダイアログにおいて、オペレータは、連続基礎の基礎梁の高さを選択することができる。
また、連続基礎に直交する布基礎が偏心布基礎である場合には、基礎（連続）負担設定ダイアログにおいて、オペレータは、「はい」を選択し、偏心布基礎の底盤巾を入力する。一方、連続基礎に直交する布基礎が対称布基礎である場合には、基礎（連続）負担設定ダイアログにおいて、オペレータは、「いいえ」を選択する。
また、基礎（連続）負担設定ダイアログにおいて、オペレータが、「負担設定」をクリックすると、負担巾設定ダイアログが表示される。負担巾設定ダイアログにおいて、オペレータが、各負担情報を入力し、「終了」をクリックすると、該各負担情報は、入力された値に設定される。
次に、基礎（連続）負担設定ダイアログにおいて、オペレータが、「断面算定」をクリックすると、断面算定が行われる。算定結果は、該ダイアログ上および編集ウィンドウ上に表示される。このとき、設計時の底盤巾が不足している場合には、算定結果は、編集ウィンドウ上では、赤く表示される。また、主筋の所要鉄筋量は、基礎（連続）負担設定ダイアログ上の他に、部材チェックシートにも表示される。
【００６８】
以上述べたコマンド以外に、メニューバー２６に設けられている以下のメニューも編集作業に用いられる。
（５−３２）自動処理
オペレータが、メニューバー２６の「Ａ／自動処理」をクリックすると、自動処理メニューが表示され、以下に示す自動処理が可能となる。
【００６９】
ａ．壁線チェック
自動処理メニューにおいて、オペレータが、「Ｌ／壁線チェック」をクリックすると、耐力壁線単位で壁線チェック（壁同士の干渉等、物理的な配置状態の検査）が自動的に行われる。このとき、エラーが発生すると、エラーの発生した壁線が赤く表示される。
【００７０】
ｂ．低減率設定
自動処理メニューにおいて、オペレータが、「Ｔ／低減率設定」をクリックすると、耐力壁線に対して、諸条件での低減率が自動的に設定される。
本システムでは、開口部直上の耐力壁には低減率”２／３”が、上下にズレた耐力壁には、上階のみ低減率”２／３”が、吹抜部分の外周耐力壁には低減率”１／２”または”１／３”が、それぞれ設定される。
なお、上記以外の耐力壁に対する低減率は、上述したコマンド「低減」を用いて、手入力で設定することができる。
【００７１】
ｃ．壁量計算
自動処理メニューにおいて、オペレータが、「Ｃ／壁量計算」をクリックすると、低減率を考慮して、耐力壁の必要枚数と設計枚数が自動的に算出される。
このとき、３階建の場合には、外壁率計算、および、必要に応じてルートＢチェック，ルートＡチェックも行われる。ここで、ルートＢチェックとは、外壁の他に建築物内部の内壁も考慮にいれて、耐力壁の必要枚数を算出するチェックである。また、ルートＡチェックとは、算出された耐力壁の必要枚数を、外力と許容せん断力に換算して表示するチェックである。このとき、エラーが発生すると、算出された壁量が赤く表示される。
【００７２】
また、３階建の場合において、設計枚数が不足している場合には、部分ルートＡチェックを行うことができる。ここで、部分ルートＡチェックとは、建築物のある一部分に対して行われるルートＡチェックのことである。
これらのチェック結果は、上述した壁量コマンドを用いて表示した壁量記号（図１８参照）の右隣に表示される。部分ルートＡチェックは、当該階の当該方向の全てのブロックに対して行われる。
【００７３】
ｄ．断面算定
自動処理メニューにおいて、オペレータが、「Ｄ／断面算定」をクリックすると、設定済みの梁，小壁，壁圧縮，基礎に対して断面算定が自動的に行われる。
エラーが発生した場合には、算定結果が赤く表示される。
【００７４】
ｅ．転倒チェック
自動処理メニューにおいて、オペレータが、「Ｆ／転倒チェック」をクリックすると、転倒チェックが行われる。本システムでは、３階建の場合で、かつ、１階平面の平均間口が５ｍ未満の場合に、転倒チェックが自動的に行われる。
この場合、アンカーボルト，３階建用コーナー結合材は、上述したコマンド「結合材」を用いて、チェックの前に入力されなくてはならない。
また、各階の見付面積は、当該階の壁高さの中央から、直上階の壁高さの中央まで（最上階は屋根まで）の見付面積とする。
チェック結果は、１階構造図のプラン右下に表示される。
【００７５】
（５−３３）Ｕｎｄｏ／Ｒｅｄｏ
オペレータが、メニューバー２６の「Ｓ／補助」をクリックすると、補助メニューが表示される。
補助メニューにおいて、オペレータが、「Ｕ／ｕｎｄｏ」をクリックすると、その直前に行われた処理が無効になる。また、補助メニューにおいて、オペレータが、「Ｒ／ｒｅｄｏ」をクリックすると、その直前に行われたｕｎｄｏ処理が無効になる。
【００７６】
（６）印刷
作成した図面やチェックシートは、以下の手順で、印刷することができる（ステップＳ６）。
まず、オペレータが、メニューバー２６の「Ｐ／印刷」をクリックすると、印刷メニューが表示される。
（６−１）ハードコピー
印刷メニューにおいて、オペレータが、「Ｈ／ハードコピー」をクリックすると、画面に表示されている内容がそのまま印刷される。
【００７７】
（６−２）構造図印刷
印刷メニューにおいて、オペレータが、「Ｃ／構造図印刷」をクリックすると、構造図印刷ダイアログが表示される（図３３参照）。
構造図印刷ダイアログにおいて、オペレータが、「印刷実行」をクリックすると、構造図がＢ４用紙に横方向で印刷される。
また、構造図印刷ダイアログにおいて、オペレータが、「イメージ」をクリックすると、画面上に印刷イメージが表示される。印刷イメージの表示中に、オペレータが、画面右下の「印刷」をクリックすると、現在イメージ表示している頁の印刷が行われる。
また、構造図印刷ダイアログにおいて、オペレータが、「キャンセル」をクリックすると、構造図印刷ダイアログは閉じる。
【００７８】
（６−３）その他の図面およびチェックシートの印刷
印刷メニューにおいて、オペレータが、「Ｙ／屋根図印刷」をクリックすると、屋根図（およびイメージ）が、「Ｂ／部材チェック印刷」をクリックすると、部材チェックシート（およびイメージ）が、「Ｒ／壁量チェック印刷」をクリックすると、壁量チェックシート（およびイメージ）が、「Ｔ／転倒チェック印刷」をクリックすると、転倒チェックシート（およびイメージ）が、それぞれ、構造図と同様の処理で印刷される。但し、部材チェックシート，壁量チェックシート，転倒チェックシートは、Ａ４用紙に縦方向で印刷される。
【００７９】
（６−４）プリンタの設定
印刷メニューにおいて、オペレータが、「Ｐ／プリンタ設定」をクリックすると、設定ダイアログが表示される。
設定ダイアログにおいて、オペレータが、各設定情報を入力し、「ＯＫ」をクリックすると、該設定情報は、入力された値に設定される。
【００８０】
（７）プランの保存
作成した図面（プラン）は、以下の手順で保存される（ステップＳ７）。
まず、オペレータが、メニューバー２６の「Ｆｉｌｅ」をクリックすると、ファイルメニューが表示される。
ファイルメニューにおいて、オペレータが、「Ｓ／プランセーブ」をクリックすると、プランセーブダイアログが表示される。
プランセーブダイアログにおいて、オペレータが、「ＯＫ」をクリックすると、現在編集中のプランが保存される。一方、プランセーブダイアログにおいて、オペレータが、「キャンセル」をクリックすると、プランの保存は中止される。
【００８１】
また、不要となったプランは、以下の手順で削除される。
まず、オペレータが、メニューバー２６の「Ｆｉｌｅ」をクリックすると、ファイルメニューが表示される。
ファイルメニューにおいて、オペレータが、「Ｄ／プラン削除」をクリックすると、保存されているプランの一覧が表示される（図３４参照）。
オペレータが、一覧表示されたプランの中から、削除するプランにカーソルを合わせ、「了解」をクリックするか、削除するプランをダブルクリックすると、選択されたプランが削除される。削除されたプランは、”新規”プランとなる。
【００８２】
（８）システムの終了
オペレータが、フレームウィンドウ２１のコントロールメニューボックス２７をクリックした後、表示されたメニューの「閉じる（Ｃ）」をクリックすると、本システムの動作は終了する（ステップＳ８）。システムの終了は、該コントロールメニューボックス２７をダブルクリックしても可能である。
なお、プランの内容が変更されている場合には、動作終了時に、プランセーブの有無を確認するダイアログが表示される。ここで、オペレータが、「はい（Ｙ）」をクリックすると、編集中のプランを保存後、終了する。また、オペレータが、「いいえ（Ｎ）」をクリックすると、編集中のプランを保存せずに終了する。また、オペレータが、「キャンセル」をクリックすると、終了処理を中止し、プランの編集を継続する。
以上で、上記構成による構造設計システムの動作説明を終了する。
【００８３】
以上、この発明の実施形態を図面を参照して詳述してきたが、具体的な構成はこの実施形態に限られるものではなく、この発明の要旨を逸脱しない範囲の設計の変更等があってもこの発明に含まれる。
例えば、上述した実施形態はあくまで一例であり、本発明は、必ずしも上述した全ての機能（メニュー、コマンド）を有する必要はない。
【００８４】
次に、請求項記載の各手段間の包含関係、および、該各手段と本実施形態との対応関係を説明する。なお、以下に示す包含関係において、包含される手段（下位手段）は、包含する手段（上位手段）に対し、一段下げて記載されているものとする。
0003907765.tif 000002
【００８５】
【発明の効果】
以上説明したように、この発明によれば、建築物の構造に関する図面の作成および検査を、簡単な操作で行うことができる、という効果がある。
【図面の簡単な説明】
【図１】  この発明の一実施形態による構造設計システムの構成例を示すブロック図である。
【図２】  表示装置４の基本的な表示画面の一例を示す説明図である。
【図３】  本実施形態による構造設計システムの操作手順例を示すフローチャートである。
【図４】  操作時における表示装置４の表示例を示す説明図である。
【図５】  操作時における表示装置４の表示例を示す説明図である。
【図６】  操作時における表示装置４の表示例を示す説明図である。
【図７】  操作時における表示装置４の表示例を示す説明図である。
【図８】  操作時における表示装置４の表示例を示す説明図である。
【図９】  操作時における表示装置４の表示例を示す説明図である。
【図１０】  操作時における表示装置４の表示例を示す説明図である。
【図１１】  操作時における表示装置４の表示例を示す説明図である。
【図１２】  操作時における表示装置４の表示例を示す説明図である。
【図１３】  操作時における表示装置４の表示例を示す説明図である。
【図１４】  操作時における表示装置４の表示例を示す説明図である。
【図１５】  操作時における表示装置４の表示例を示す説明図である。
【図１６】  操作時における表示装置４の表示例を示す説明図である。
【図１７】  操作時における表示装置４の表示例を示す説明図である。
【図１８】  操作時における表示装置４の表示例を示す説明図である。
【図１９】  操作時における表示装置４の表示例を示す説明図である。
【図２０】  操作時における表示装置４の表示例を示す説明図である。
【図２１】  操作時における表示装置４の表示例を示す説明図である。
【図２２】  操作時における表示装置４の表示例を示す説明図である。
【図２３】  操作時における表示装置４の表示例を示す説明図である。
【図２４】  操作時における表示装置４の表示例を示す説明図である。
【図２５】  操作時における表示装置４の表示例を示す説明図である。
【図２６】  操作時における表示装置４の表示例を示す説明図である。
【図２７】  操作時における表示装置４の表示例を示す説明図である。
【図２８】  操作時における表示装置４の表示例を示す説明図である。
【図２９】  操作時における表示装置４の表示例を示す説明図である。
【図３０】  操作時における表示装置４の表示例を示す説明図である。
【図３１】  操作時における表示装置４の表示例を示す説明図である。
【図３２】  操作時における表示装置４の表示例を示す説明図である。
【図３３】  操作時における表示装置４の表示例を示す説明図である。
【図３４】  操作時における表示装置４の表示例を示す説明図である。
【符号の説明】
１……ＣＰＵ、  ２……ＲＯＭ、  ３……ＲＡＭ、  ４……表示装置、
５……操作部、  ６……印刷装置、  ７……ＨＤＤ
【図１】
0003907765.tif 000003
【図２】
0003907765.tif 000004
【図３】
0003907765.tif 000005
【図４】
0003907765.tif 000006
【図５】
0003907765.tif 000007
【図６】
0003907765.tif 000008
【図７】
0003907765.tif 000009
【図８】
0003907765.tif 000010
【図９】
0003907765.tif 000011
【図１０】
0003907765.tif 000012
【図１１】
0003907765.tif 000013
【図１２】
0003907765.tif 000014
【図１３】
0003907765.tif 000015
【図１４】
0003907765.tif 000016
【図１５】
0003907765.tif 000017
【図１６】
0003907765.tif 000018
【図１７】
0003907765.tif 000019
【図１８】
0003907765.tif 000020
【図１９】
0003907765.tif 000021
【図２０】
0003907765.tif 000022
【図２１】
0003907765.tif 000023
【図２２】
0003907765.tif 000024
【図２３】
0003907765.tif 000025
【図２４】
0003907765.tif 000026
【図２５】
0003907765.tif 000027
【図２６】
0003907765.tif 000028
【図２７】
0003907765.tif 000029
【図２８】
0003907765.tif 000030
【図２９】
0003907765.tif 000031
【図３０】
0003907765.tif 000032
【図３１】
0003907765.tif 000033
【図３２】
0003907765.tif 000034
【図３３】
0003907765.tif 000035
【図３４】
0003907765.tif 000036